(57)【要約】【課題】各種書籍を収容して書籍を保護するとともに書籍の持ち運びが便利で読み易いブックカバーに関する。【解決手段】布、皮革あるいは合成樹脂等からなる横長なカバーシート２の両短辺部を同じ方向に折り曲げて偏平袋状の差込み部３を形成するとともにカバーシート２の両短辺部には、カバーシート２の長さ方向に延ばした取手４を形成し、カバーシート２の片側長辺部中央にはカバーシート２の長さ方向とは直交する方向にシオリ５を設けたブックカバーである。【選択図】図１
0003135780.tif 000002
【実用新案登録請求の範囲】
【請求項１】
布、皮革あるいは合成樹脂等からなる横長なカバーシート２の両短辺部を同じ方向に折り曲げて偏平袋状の差込み部３を形成するとともにカバーシート２の短辺部には、カバーシート２の長さ方向に延ばした取手４を形成し、カバーシート２の片側長辺部中央にはカバーシート２の長さ方向とは直交する方向にシオリ５を設けたことを特徴とするブックカバー。
【請求項２】
カバーシート２の両短辺部には結び紐７を設けたことを特徴とする請求項１に記載するブックカバー。
【請求項３】
カバーシート２は伸縮性を有する材質のシート８から成ることを特徴とする請求項１又は請求項２のいずれかに記載するブックカバー。
【請求項４】
カバーシート２は、一部に伸縮性を有する材質のシート８を組み込んだことを特徴とする請求項１又は請求項２のいずれかに記載するブックカバー。
【請求項５】
取手４は着脱可能である請求項１から請求項４のいずれかに記載するブックカバー。
【考案の詳細な説明】
【技術分野】
【０００１】
本考案はブックカバーに関し、特に、各種書籍を収容して書籍を保護するとともに書籍の持ち運びが便利で読み易いブックカバーに関するものである。
【背景技術】
【０００２】
購入した書籍をそのまま持ち運んだり保管をしていると、表紙が汚れたり色褪せを生じ、また、破損することがある。これを防止するために文庫、新書、一般書籍、文芸書、専門書等の書籍は、あらかじめ表題や表紙絵を表したカバー（ジャケット）で覆われているが、これをそのまま持ち運び、例えば、電車内や喫茶店等で読むことは、表題によって周りの者に書籍内容が分かるものである。
【０００３】
書籍によっては内容を知られたくないこともあり、このような場合には、本を購入した書店が用意するブックカバーで前記のカバーを含む書籍全体を覆うが、横長なシート状ブックカバーの両側を書籍の表紙及び裏表紙の内側に折り返しただけであるので、ブックカバーが書籍から外れやすい欠点を有していた。また、ブックカバーは、通常は紙製であるので破れやすい問題を有していた。
【０００４】
布や皮革あるいはビニールのような合成樹脂等を素材とする材質からなるブックカバーが市販されている。このブックカバーは、横長に裁断したシートの両側を内側に折り返して差込み部を形成したものである。書籍の表紙や裏表紙を差込み部内に差し入れて書籍全体を覆うようになっている。
【０００５】
カバーシート自体は丈夫なものであり、全体として見栄えが良く、書籍を保護するには充分であるが、手に持っていると落としたり、ブックカバー自体が手垢で汚れるので持ち運ぶには不適であり、カバンや袋等が必要となる。
【０００６】
また、差込み部を形成したブックカバーは長さに制限があるので、書籍の表紙をブックカバーの片側の差込み部に差し入れても、裏表紙を他の差込み部に差し入れることができず、書籍が厚くなると収容することができないものであった。
【０００７】
また、読んだページに紙製のシオリ片を挟むことが多いが、ページを開いた時にシオリ片を落としたり、失くすことがあり、不便である。しかも、従来の市販のブックカバーには使いやすいシオリを設けたものは存在しない。
【０００８】
特開２００３−５４１５８として把手付きのブックカバーが提供されている。このブックカバーでは、書籍を収容可能なブックカバー本体１に把手２を設けて持ち運びができるようにしてある。
また、この先行技術のブックカバー本体１では書籍の表紙や裏表紙を差し入れるポケット部１６が形成してあり、このポケット部１６にはしおりの役目を果す縦長な短冊状の切り込み３８が形成してある。
【特許文献１】特開２００３−５４１５８公報
【考案の開示】
【考案が解決しようとする課題】
【０００９】
特許文献１に示すブックカバーでは、書籍を持ち運ぶには容易であるが、ブックカバー本体１と把手２とは角カン７を介して連結する必要があり、取り付け、連結に工程を多く必要とし、製造単価が高くなるものである。また、書籍の厚さに対応することができず、Ａ６版、Ｂ６版等の同じ大きさでも書籍の厚さに対応したブックカバーが必要となる。
【００１０】
しかも、しおりはポケット部１６に切り込みを設けて縦長に形成したものであるため、書籍の横側からページに差し挟むため書籍を読んでいる時には邪魔であり、特に、厚い書籍の場合には最後のページ近くでは差し挟みにくく、外れやすいものである。
【００１１】
本考案は、上記する従来技術の問題点に鑑み、横長なカバーシートの両側に差込み部を折り返し形成して書籍の表紙と裏表紙とを差し挟んで全体を覆い、かつ、取手を設けて持ち運びに容易なものとするとともにカバーシートの中央にシオリを設けて全てのページに差し挟んで読み易くしたブックカバーを提供するものである。
また、本考案は、書籍の厚さに応じて書籍を収容することのできるブックカバーを提供するものである。
【課題を解決するための手段】
【００１２】
上記の目的を達成するために本考案は、布、皮革あるいは合成樹脂等からなる横長なカバーシート２の両短辺部を同じ方向に折り曲げて偏平袋状の差込み部３を形成するとともにカバーシート２の短辺部には、カバーシート２の長さ方向に延ばした取手４を形成し、カバーシート２の片側長辺部中央にはカバーシート２の長さ方向とは直交する方向にシオリ５を設けたものである。
【００１３】
また、カバーシート２の両短辺部には結び紐７を設けたブックカバーであり、更には、カバーシート２は全体あるいは一部が伸縮性を有する材質のシート８からなり、取手４は着脱可能としたものである。
【考案の効果】
【００１４】
本考案によればカバーシート２の両側に形成した差込み部３内に書籍６の表紙及び裏表紙を差し入れることで書籍６を収容し、書籍６を保護することができる。しかも、手提げ用の取手４が形成してあるので、書籍６を収容した状態で持ち運ぶことができ、大きい書籍あるいは重い書籍でも持ち運びが容易である。
【００１５】
カバーシート２の中央にはシオリ５を設けたので書籍６の必要ページに上下方向に差し挟むことができ、全てのページに簡単に挟むことができる。書籍６を読む時にはシオリ５を挟んだままあるいはシオリ５をカバーシート２の外側に取り出すことができるので、ページを捲るのに邪魔になることがない。
【００１６】
カバーシート２の両側には２本の結び紐７を設けておけば、書籍６を閉じて持ち運ぶ際、結び紐７を結び合わせておけば書籍６が開くことはなく、持ち運びが容易である。
【００１７】
カバーシート２は、全体あるいは一部を伸縮性を有するシート８で形成すれば、カバーシート２を延ばして書籍６を内部に収容することができるので、同じ大きさの書籍６でも厚さに対応することができる。しかも、書籍６を収容した後、シート８は縮むのでカバーシート２と書籍６は一体化し、書籍６を充分に保護することができる。
【考案を実施するための最良の形態】
【００１８】
以下、図面に従って本考案の実施形態を詳細に説明する。
図１は、本考案ブックカバーの一実施形態を示すものであり、ブックカバー本体１を形成するカバーシート２は、布や皮革あるいはビニールのような合成樹脂からなる横長なものである。
【００１９】
このカバーシート２は、横長シートの両短辺側を同じ方向に折り返し、上下を接着あるいは縫着して偏平袋状の差込み部３を形成したものである。両差込み部３には書籍の表紙と裏表紙をそれぞれ差し込み、書籍を収容して表紙、背表紙及び裏表紙全体を覆うことができるようになっている。
【００２０】
差込み部３を形成したカバーシート２の両短辺部には、半円状の取手４をカバーシート２の長さ方向に延ばして対称に設ける。また、横長に配設したカバ−シート２の片側長辺部の中央にはカバ−シート２の長さ方向に直交する状態で紐状あるいは線状のシオリ５を取り付ける。
【００２１】
このようなブックカバー本体１は、図２に示すように、カバーシート２を中央から二つ折りにし、シオリ５が内側に位置するようにして使用するものであり、図３は書籍６の表紙及び裏表紙を差込み部３にそれぞれ差し込み、書籍６全体をブックカバー本体１で覆った状態を示すものである。
【００２２】
このようにカバーシート２内に書籍６を収容し、シオリ５を書籍６の必要なページに差し挟み、一対の取手４を持つことで書籍６の持ち運びが可能である。必要に応じてシオリ５挟んだページを開くことで何時でも、どこでも書籍６を読むことができる。
【００２３】
図４は、本考案の第二の実施形態を示すものであり、前記の実施形態と同じ部分は同じ符号を使用している。この実施形態においては取手４を設けたカバーシート２の両短辺部に結び紐７を対称に設けたことに特徴を有している。
【００２４】
このような構成としたことにより、前記と同じく書籍６の表紙及び裏表紙をカバーシート２の差込み部３内に差し入れて収容し、書籍６を閉じた状態で２本の結び紐７を結び合わせれば書籍６は簡単に開くことはなく、持ち運びが容易である。
【００２５】
上記する各実施形態では、書籍６の表紙及び裏表紙は、カバーシート２の差込み部３内に差し込み、収容するようになっている。従って、書籍６の厚さは、書籍６を収容してブックカバー本体１を折り畳むことのできる厚さに限定される。
【００２６】
本考案の第三の実施形態は、カバーシート２全体を伸縮性を有する材質によって形成したことに特徴を有している。このようにカバーシート２に伸縮性を持たせ、両側に差込み部３を形成すれば、例えば、表紙を片側の差込み部３内に入れ、カバーシート２全体を延ばした状態で裏表紙を他の差込み部３内に入れることができる。
【００２７】
書籍６の表紙及び裏表紙をそれぞれ差込み部３内に収容した後においてカバーシート２は縮む作用を有しているので、カバーシート２と書籍６との間に隙間を生ずることはなく、書籍６の厚さに対応してカバーシート２を伸縮させて書籍６を収容することができる。
【００２８】
また、本考案の第四の実施形態としては、布、皮革あるいは合成樹脂からなるカバーシート２の一部に伸縮性を有するシート材を一体に組み込むことである。例えば、図６の鎖線で示すように、書籍６の表紙と裏表紙に面するカバーシート２の中間部、即ち、書籍６の背表紙に当たる部分において伸縮性を有するシート８をカバーシート２に接着あるいは縫着等の手段で連設することである。
【００２９】
このようにカバーシート２の一部に伸縮性を有するシート８を一体に設けることにより、表紙を片側の差込み部３に入れた後、カバーシート２を引っ張ってシート８を延ばし、裏表紙を他の差込み部３内に差し込めばよい。その後、シート８は縮んでカバーシート２と書籍６とは一体化される。
【００３０】
上記する各実施形態において、取手４の基部やシオリ５の基部は、接着や縫着によってカバーシート２に固定すればよい。あるいは、ホックや面ファスナー等を使用して着脱可能としても良い。特に、取手４は、長さを異にするものを用意しておき、交換可能とすることで手で下げたり、肩から吊り下げることができる。
【産業上の利用可能性】
【００３１】
書籍６を収容して表紙および書籍自体を保護するために利用することができる。しかも、書籍６を吊り下げて持ち運ぶことができ、同じ大きさでも厚さを異にする書籍６のカバーとして利用可能である。
【図面の簡単な説明】
【００３２】
【図１】本考案ブックカバーの第一の実施形態を示す展開図である。
【図２】第一の実施形態のブックカバーを折り畳んだ状態の斜視図である。
【図３】折り畳んだブックカバー内に書籍を収容した状態の斜視図である。
【図４】本考案ブックカバーの第二の実施形態を示す展開図である。
【図５】第二の実施形態のブックカバー内に書籍を収容した状態の斜視図である。
【図６】本考案ブックカバーの第四の実施形態を示す展開図である。
【符号の説明】
【００３３】
１  ブックカバー本体
２  カバーシート
３  差込み部
４  取手
５  シオリ
６  書籍
７  結び紐
８  シート
【図１】
0003135780.tif 000003
【図２】
0003135780.tif 000004
【図３】
0003135780.tif 000005
【図４】
0003135780.tif 000006
【図５】
0003135780.tif 000007
【図６】
0003135780.tif 000008